(57)【要約】【課題】マクロ切り換え機構を単純化すると共に、ユーザに切り換え時のクリック感を持たせることが可能なレンズ位置調節機構及びカメラのレンズ位置調節機構を提供することである。【解決手段】合焦距離調整部７を光軸に対して周方向に回動させることにより、内蔵した撮影レンズの位置が移動される。上記合焦距離調整部７の動きは、該合焦距離調整部７の周面に設けられた突起８と係合するレバー１２により伝達される。そして、このレバー１２の動きは、該レバー１２と係合する電気スイッチユニット１０のレバー１０ｂが、操作ノブ１０ｃの動きに連動することによって操作される。【選択図】    図１
2004341333.tif 000002
【特許請求の範囲】
【請求項１】
鏡胴の一部を光軸に対して周方向に回動させることにより、所定レンズの位置を移動させるレンズ位置調節機構に於いて、
上記鏡胴の一部の動きを伝達する伝達機構と、
上記伝達機構と係合され、電気的な導通を制御する可動部を有する電気スイッチユニットと、
を具備することを特徴とするレンズ位置調節機構。
【請求項２】
上記電気スイッチユニットは、上記可動部が物理的に安定する第１の安定位置と第２の安定位置とを有し、
上記伝達機構は、上記可動部に働く応力を上記鏡胴の一部に伝達することによって上記鏡胴の一部を回動させ、上記可動部が上記第１の安定位置にある場合には上記所定レンズを第１のレンズ位置に、上記可動部が上記第２の安定位置にある場合には上記所定レンズを第２のレンズ位置に、選択的に配置させることを特徴とする請求項１に記載のレンズ位置調節機構。
【請求項３】
上記第１のレンズ位置とは近接物の被写体を観察するためのマクロモード位置であり、上記第２のレンズ位置とは上記マクロモード以外の通常モードを行うための通常モード位置であることを特徴とする請求項２に記載のレンズ位置調節機構。
【請求項４】
上記第１のレンズ位置は短焦点側で被写体を観察するためのワイドモード位置であり、上記第２のレンズ位置は長焦点側で被写体を観察するためのテレモード位置であることを特徴とする請求項２に記載のレンズ位置調節機構。
【請求項５】
上記伝達機構は、操作者が上記電気スイッチユニットの上記可動部を操作するための操作部を具備することを特徴とする請求項１に記載のレンズ位置調節機構。
【請求項６】
鏡胴の一部を光軸に対して周方向に回動させることにより、レンズ位置を移動させるレンズ位置調整装置に於いて、
上記鏡胴の外周面の一部に固定された第１の部材と、
その揺動軸を中心に揺動可能に支持されるもので、その一端が上記第１の部材と係合する第２の部材と、
上記第２の部材の上記揺動軸の他端に係合されるもので、操作者が操作可能な第３の部材と、
その電気的な導通を制御する可動部を有して、該可動部と上記第３の部材とが係合する電気スイッチユニットと、
を具備することを特徴とするレンズ位置調節機構。
【請求項７】
操作者が上記第３の部材を操作して、上記第２の部材及び上記第１の部材を介して上記鏡胴の一部を所定の方向に回動させる際、上記鏡胴の一部がそれ以上上記所定方向に回動できなくなった場合には、上記第２の部材が撓むように構成されることを特徴とする請求項６に記載のレンズ位置調節機構。
【請求項８】
上記可動部は、物理的に安定する第１の安定位置と第２の安定位置とを有し、
上記鏡胴の一部は、第１の回転方向に対しそれ以上回転できない第１の回転位置と、上記第１の回転方向とは逆方向の第２の回転方向に対しそれ以上回転できない第２の回転位置とを有し、
上記可動部が第１の安定位置にある場合には、上記鏡胴の一部が上記第１の回転位置にあると共に、上記第１の部材を介して上記第２の部材によって上記第１の回転方向に付勢されるように構成され、
上記可動部が第２の安定位置にある場合には、上記鏡胴の一部が上記第２の回転位置にあると共に、上記第１の部材を介して上記第２の部材によって上記第２の回転方向に付勢されるように構成されることを特徴とする請求項７に記載のレンズ位置調節機構。
【請求項９】
上記鏡胴の一部が上記第１の回転位置に於いて上記第１の回転方向に付勢された際に生じる反力、または上記鏡胴の一部が上記第２の回転位置に於いて上記第２の回転方向に付勢された際に生じる反力は、上記可動部が上記第１の安定位置若しくは上記第２の安定位置に安定しようとする応力よりも小さくなるように構成されることを特徴とする請求項８に記載のレンズ位置調節機構。
【請求項１０】
上記電気スイッチユニットは、電子回路基板上に固定されていることを特徴とする請求項６に記載のレンズ位置調節機構。
【請求項１１】
少なくとも２つの焦点距離を有するレンズ鏡胴の位置を、該鏡胴の一部を光軸に対して周方向に回動させて該光軸方向に移動させるレンズ位置調節機構に於いて、
その電気的な導通を制御する可動部を有して、上記レンズ鏡胴の位置を切り換えるべく該可動部を切り換える電気スイッチユニットと、
上記電気スイッチユニットの可動部と係合して、該可動部の切り換えに連動した動きを伝達する伝達機構と、
を具備することを特徴とするレンズ位置調節機構。
【請求項１２】
上記可動部は物理的に安定する第１の安定位置と第２の安定位置とを有し、
上記可動部は、上記伝達機構を介して上記可動部に働く応力を上記鏡胴の一部に伝えることによって上記鏡胴の一部を回動させるようにして、上記可動部が上記第１の安定位置にある場合には上記レンズ鏡胴を第１のレンズ位置に、上記可動部が上記第２の安定位置にある場合には上記レンズ鏡胴を第２のレンズ位置に、選択的に配置させることを特徴とする請求項１１に記載のレンズ位置調節機構。
【請求項１３】
上記第１のレンズ位置とは、近接物の被写体を観察するためのマクロモード位置であることを特徴とする請求項１２に記載のレンズ位置調節機構。
【請求項１４】
上記伝達機構は所定の軸を中心に揺動自在に支持されていることを特徴とする請求項１１に記載のレンズ位置調節機構。
【請求項１５】
撮影レンズを内蔵する鏡胴の一部を光軸に対して周方向に回動させることにより、上記撮影レンズの位置を移動させるカメラのレンズ位置調節機構に於いて、
上記鏡胴の一部の動きを伝達する伝達機構と、
上記伝達機構と係合され、電気的な導通を制御する可動部を有する電気スイッチユニットと、
を具備することを特徴とするカメラのレンズ位置調節機構。
【請求項１６】
上記電気スイッチユニットは、上記可動部が物理的に安定する第１の安定位置と第２の安定位置とを有し、
上記伝達機構は、上記可動部に働く応力を上記鏡胴の一部に伝達することによって上記鏡胴の一部を回動させ、上記可動部が上記第１の安定位置にある場合には上記撮影レンズを第１のレンズ位置に、上記可動部が上記第２の安定位置にある場合には上記撮影レンズを第２のレンズ位置に、選択的に配置させることを特徴とする請求項１５に記載のカメラのレンズ位置調節機構。
【請求項１７】
上記第１のレンズ位置とは近接物の被写体を撮影するためのマクロモード位置であり、上記第２のレンズ位置とは上記マクロモード以外の通常撮影を行うための通常モード位置であることを特徴とする請求項１６に記載のカメラのレンズ位置調節機構。
【請求項１８】
上記第１のレンズ位置は短焦点側で被写体を撮影するためのワイドモード位置であり、上記第２のレンズ位置は長焦点側で被写体を撮影するためのテレモード位置であることを特徴とする請求項１６に記載のカメラのレンズ位置調節機構。
【請求項１９】
上記伝達機構は、操作者が上記電気スイッチユニットの上記可動部を操作するための操作部を具備することを特徴とする請求項１５に記載のカメラのレンズ位置調節機構。
【請求項２０】
撮影レンズを内蔵する鏡胴の一部を光軸に対して周方向に回動させることにより、上記撮影レンズ位置を移動させるカメラのレンズ位置調節機構に於いて、
上記鏡胴の外周面の一部に固定された第１の部材と、
その揺動軸を中心に揺動可能に支持されるもので、その一端が上記第１の部材と係合する第２の部材と、
上記第２の部材の上記揺動軸の他端に係合されるもので、操作者が操作可能な第３の部材と、
その電気的な導通を制御する可動部を有して、該可動部と上記第３の部材とが係合する電気スイッチユニットと、
を具備することを特徴とするカメラのレンズ位置調節機構。
【請求項２１】
操作者が上記第３の部材を操作して、上記第２の部材及び上記第１の部材を介して上記鏡胴の一部を所定の方向に回動させる際、上記鏡胴の一部がそれ以上上記所定方向に回動できなくなった場合には、上記第２の部材が撓むように構成されることを特徴とする請求項２０に記載のカメラのレンズ位置調節機構。
【請求項２２】
上記可動部は、物理的に安定する第１の安定位置と第２の安定位置とを有し、
上記鏡胴の一部は、第１の回転方向に対しそれ以上回転できない第１の回転位置と、上記第１の回転方向とは逆方向の第２の回転方向に対しそれ以上回転できない第２の回転位置とを有し、
上記可動部が第１の安定位置にある場合には、上記鏡胴の一部が上記第１の回転位置にあると共に、上記第１の部材を介して上記第２の部材によって上記第１の回転方向に付勢されるように構成され、
上記可動部が第２の安定位置にある場合には、上記鏡胴の一部が上記第２の回転位置にあると共に、上記第１の部材を介して上記第２の部材によって上記第２の回転方向に付勢されるように構成されることを特徴とする請求項２１に記載のカメラのレンズ位置調節機構。
【請求項２３】
上記鏡胴の一部が上記第１の回転位置に於いて上記第１の回転方向に付勢された際に生じる反力、または上記鏡胴の一部が上記第２の回転位置に於いて上記第２の回転方向に付勢された際に生じる反力は、上記可動部が上記第１の安定位置若しくは上記第２の安定位置に安定しようとする応力よりも小さくなるように構成されることを特徴とする請求項２２に記載のカメラのレンズ位置調節機構。
【請求項２４】
上記電気スイッチユニットは、電子回路基板上に固定されていることを特徴とする請求項２０に記載のカメラのレンズ位置調節機構。
【請求項２５】
操作者が上記第３の部材を操作して、上記第２の部材及び上記第１の部材を介して上記鏡胴の一部を所定の方向に回動させる際、上記鏡胴の一部がそれ以上上記所定方向に回動できなくなった場合には、上記第２の部材の上記揺動軸が嵌入される孔との隙間分だけ上記第２の部材が傾くように構成されていることを特徴とする請求項２０に記載のカメラのレンズ位置調節機構。
【発明の詳細な説明】
【０００１】
【発明の属する技術分野】
本発明はレンズ位置調節機構に関し、より詳細には、マクロ切り換え機構に用いられるレンズ位置調節機構及びカメラのレンズ位置調節機構に関するものである。
【０００２】
【従来の技術】
一般に、撮像レンズの焦点調節及びマクロ撮影用の切り換えには、ギアやモータが用いられている。また、レンズそのものを移動させたり、付随されたばねを使用して位置を切り換える機構等が知られている。
【０００３】
例えば、合焦距離を近距離やそれより遠距離に切り換えたり、さらには絞りも切り換えて、広い範囲の撮影距離に対してピントのあった変倍撮影を行う可変焦点レンズ鏡胴が知られている（例えば、特許文献１参照）。
【０００４】
【特許文献１】
特開平６−１８０４２０号公報
また、撮像レンズの焦点調整とマクロ調節を行うレンズ調整機構を備えたもので、簡易な構成でかつ小型化された低コストなレンズ調整装置が知られている（例えば、特許文献２及び３参照）。
【０００５】
【特許文献２】
特開平１０−１０４４９１号公報
【０００６】
【特許文献３】
特開平１０−１７０８０９号公報
上述した特許文献１は、合焦点距離の切り換えにカム、ギヤ等を使用すると同時に、検出スイッチを通してユーザにマクロ状態を告知するものであった。
【０００７】
また、上述した特許文献２は、均一ピッチのねじに調整レバーを設け、ユーザが調整レバーを切り換えることで、レバーの位置によりマクロ状態を告知するものであった。更に、上記特許文献３は、レンズ鏡枠のカム部と係合するリング形状の調整リングを備え、この調整レバーを回動させてレンズ鏡枠を光軸に沿って移動させるものであった。
【０００８】
【発明が解決しようとする課題】
しかしながら、上述した特許文献１及び特許文献３のように、カムやギヤ等を使用するものは、正確な位置出しができる反面、機構が複雑化して高い部品精度が要求される。その結果として、コストの上昇を招くという課題を有していた。
【０００９】
また、上述した特許文献２のように、ねじを回転させることによりマクロ切り換えを行うと、機構そのものは単純化する。しかしながら、ユーザが確実に所定の位置までレバーを移動させる必要があり、正確な位置出しが困難なものであった。加えて、ねじの回転移動のため、クリック感が無く、ユーザは確実に切り換わっていることが感覚的に解りにくいものであった。
【００１０】
したがって本発明は、上記課題に鑑みてなされたものであり、マクロ切り換え機構を単純化すると共に、ユーザに切り換え時のクリック感を持たせることが可能なレンズ位置調節機構及びカメラのレンズ位置調節機構を提供することを目的とする。
【００１１】
【課題を解決するための手段】
すなわち、請求項１に記載の発明は、鏡胴の一部を光軸に対して周方向に回動させることにより、所定レンズの位置を移動させるレンズ位置調節機構に於いて、上記鏡胴の一部の動きを伝達する伝達機構と、上記伝達機構と係合され、電気的な導通を制御する可動部を有する電気スイッチユニットと、を具備することを特徴とする。
【００１２】
このように構成することにより、マクロ切り換え機構を単純化して、高精度の部品が要求されなくとも正確な位置出しを可能にする。
【００１３】
請求項２に記載の発明は、請求項１に記載のレンズ位置値溶接機構に於いて、上記電気スイッチユニットは、上記可動部が物理的に安定する第１の安定位置と第２の安定位置とを有し、上記伝達機構は、上記可動部に働く応力を上記鏡胴の一部に伝達することによって上記鏡胴の一部を回動させ、上記可動部が上記第１の安定位置にある場合には上記所定レンズを第１のレンズ位置に、上記可動部が上記第２の安定位置にある場合には上記所定レンズを第２のレンズ位置に、選択的に配置させることを特徴とする。
【００１４】
このように構成することにより、ユーザに切り換え時のクリック感を持たせて、正確な位置出しをすることができる。
【００１５】
請求項３に記載の発明は、請求項２に記載のレンズ位置調節機構に於いて、上記第１のレンズ位置とは近接物の被写体を観察するためのマクロモード位置であり、上記第２のレンズ位置とは上記マクロモード以外の通常モードを行うための通常モード位置であることを特徴とする。
【００１６】
このように構成することにより、マクロモードとそれ以外の通常モードの観察時に、切り換え時のクリック感によってユーザは確実に切り換わったことを認識することができる。
【００１７】
請求項４に記載の発明は、請求項２に記載のレンズ位置調節機構に於いて、上記第１のレンズ位置は短焦点側で被写体を観察するためのワイドモード位置であり、上記第２のレンズ位置は長焦点側で被写体を観察するためのテレモード位置であることを特徴とする。
【００１８】
このように構成することにより、ワイドモードとテレモードの観察時に、切り換え時のクリック感によってユーザは確実に切り換わったことを認識することができる。
【００１９】
請求項５に記載の発明は、請求項１に記載のレンズ位置調節機構に於いて、上記伝達機構は、操作者が上記電気スイッチユニットの上記可動部を操作するための操作部を具備することを特徴とする。
【００２０】
このように構成することにより、マクロ切り換え機構を単純化して、高精度の部品が要求されなくとも正確な位置出しをすることができる。
【００２１】
請求項６に記載の発明は、鏡胴の一部を光軸に対して周方向に回動させることにより、レンズ位置を移動させるレンズ位置調整装置に於いて、上記鏡胴の外周面の一部に固定された第１の部材と、その揺動軸を中心に揺動可能に支持されるもので、その一端が上記第１の部材と係合する第２の部材と、上記第２の部材の上記揺動軸の他端に係合されるもので、操作者が操作可能な第３の部材と、その電気的な導通を制御する可動部を有して、該可動部と上記第３の部材とが係合する電気スイッチユニットと、を具備することを特徴とする。
【００２２】
このように構成することにより、マクロ切り換え機構を単純化すると共に、ユーザに切り換え時のクリック感を持たせて、高精度の部品が要求されなくとも正確な位置出しが可能なレンズ位置調節機構を提供することができる。
【００２３】
請求項７に記載の発明は、請求項６に記載のレンズ位置調節機構に於いて、操作者が上記第３の部材を操作して、上記第２の部材及び上記第１の部材を介して上記鏡胴の一部を所定の方向に回動させる際、上記鏡胴の一部がそれ以上上記所定方向に回動できなくなった場合には、上記第２の部材が撓むように構成されることを特徴とする。
【００２４】
このように構成することにより、高精度の部品が要求されなくとも正確な位置出しをすることができる。
【００２５】
請求項８に記載の発明は、請求項７に記載のレンズ位置調節機構に於いて、上記可動部は、物理的に安定する第１の安定位置と第２の安定位置とを有し、上記鏡胴の一部は、第１の回転方向に対しそれ以上回転できない第１の回転位置と、上記第１の回転方向とは逆方向の第２の回転方向に対しそれ以上回転できない第２の回転位置とを有し、上記可動部が第１の安定位置にある場合には、上記鏡胴の一部が上記第１の回転位置にあると共に、上記第１の部材を介して上記第２の部材によって上記第１の回転方向に付勢されるように構成され、上記可動部が第２の安定位置にある場合には、上記鏡胴の一部が上記第２の回転位置にあると共に、上記第１の部材を介して上記第２の部材によって上記第２の回転方向に付勢されるように構成されることを特徴とする。
【００２６】
このように構成することにより、ユーザに切り換え時のクリック感を持たせて、高精度の部品が要求されなくとも正確な位置出しをすることができる。
【００２７】
請求項９に記載の発明は、請求項８に記載のレンズ位置調節機構に於いて、上記鏡胴の一部が上記第１の回転位置に於いて上記第１の回転方向に付勢された際に生じる反力、または上記鏡胴の一部が上記第２の回転位置に於いて上記第２の回転方向に付勢された際に生じる反力は、上記可動部が上記第１の安定位置若しくは上記第２の安定位置に安定しようとする応力よりも小さくなるように構成されることを特徴とする。
【００２８】
このように構成することにより、ユーザに切り換え時のクリック感を持たせて、高精度の部品が要求されなくとも正確な位置出しをすることができる。
【００２９】
請求項１０に記載の発明は、請求項６に記載のレンズ位置調節機構に於いて、上記電気スイッチユニットは、電子回路基板上に固定されていることを特徴とする。
【００３０】
このように構成することにより、高精度の部品が要求されなくとも正確な位置出しをすることができる。
【００３１】
請求項１１に記載の発明は、少なくとも２つの焦点距離を有するレンズ鏡胴の位置を、該鏡胴の一部を光軸に対して周方向に回動させて該光軸方向に移動させるレンズ位置調節機構に於いて、その電気的な導通を制御する可動部を有して、上記レンズ鏡胴の位置を切り換えるべく該可動部を切り換える電気スイッチユニットと、上記電気スイッチユニットの可動部と係合して、該可動部の切り換えに連動した動きを伝達する伝達機構と、を具備することを特徴とする。
【００３２】
このように構成することにより、マクロ切り換え機構を単純化すると共に、ユーザに切り換え時のクリック感を持たせて、高精度の部品が要求されなくとも正確な位置出しが可能なレンズ位置調節機構を提供することができる。
【００３３】
請求項１２に記載の発明は、請求項１１に記載のレンズ位置調節機構に於いて、上記可動部は物理的に安定する第１の安定位置と第２の安定位置とを有し、上記可動部は、上記伝達機構を介して上記可動部に働く応力を上記鏡胴の一部に伝えることによって上記鏡胴の一部を回動させるようにして、上記可動部が上記第１の安定位置にある場合には上記レンズ鏡胴を第１のレンズ位置に、上記可動部が上記第２の安定位置にある場合には上記レンズ鏡胴を第２のレンズ位置に、選択的に配置させることを特徴とする。
【００３４】
このように構成することにより、ユーザに切り換え時のクリック感を持たせて、高精度の部品が要求されなくとも正確な位置出しをすることができる。
【００３５】
請求項１３に記載の発明は、請求項１２に記載のレンズ位置調節機構に於いて、上記第１のレンズ位置とは、近接物の被写体を観察するためのマクロモード位置であることを特徴とする。
【００３６】
このように構成することにより、マクロモードとそれ以外のモードの撮影時に、切り換え時のクリック感によってユーザは確実に切り換わったことを認識することができる。
【００３７】
請求項１４に記載の発明は、請求項１１に記載のレンズ位置調節機構に於いて、上記伝達機構は所定の軸を中心に揺動自在に支持されていることを特徴とする。
【００３８】
このように構成することにより、高精度の部品が要求されなくとも正確な位置出しをすることができる。
【００３９】
請求項１５に記載の発明は、撮影レンズを内蔵する鏡胴の一部を光軸に対して周方向に回動させることにより、上記撮影レンズの位置を移動させるカメラのレンズ位置調節機構に於いて、上記鏡胴の一部の動きを伝達する伝達機構と、上記伝達機構と係合され、電気的な導通を制御する可動部を有する電気スイッチユニットと、を具備することを特徴とする。
【００４０】
このように構成することにより、マクロ切り換え機構を単純化して、高精度の部品が要求されなくとも正確な位置出しを可能にする。
【００４１】
請求項１６に記載の発明は、請求項１に記載のカメラのレンズ位置調節機構に於いて、上記電気スイッチユニットは、上記可動部が物理的に安定する第１の安定位置と第２の安定位置とを有し、上記伝達機構は、上記可動部に働く応力を上記鏡胴の一部に伝達することによって上記鏡胴の一部を回動させ、上記可動部が上記第１の安定位置にある場合には上記撮影レンズを第１のレンズ位置に、上記可動部が上記第２の安定位置にある場合には上記撮影レンズを第２のレンズ位置に、選択的に配置させることを特徴とする。
【００４２】
このように構成することにより、ユーザに切り換え時のクリック感を持たせて、正確な位置出しをすることができる。
【００４３】
請求項１７に記載の発明は、請求項１５に記載のカメラのレンズ位置調節機構に於いて、上記第１のレンズ位置とは近接物の被写体を撮影するためのマクロモード位置であり、上記第２のレンズ位置とは上記マクロモード以外の通常撮影を行うための通常モード位置であることを特徴とする。
【００４４】
このように構成することにより、マクロモードとそれ以外の通常モードの撮影時に、切り換え時のクリック感によってユーザは確実に切り換わったことを認識することができる。
【００４５】
請求項１８に記載の発明は、請求項１６に記載のカメラのレンズ位置調節機構に於いて、上記第１のレンズ位置は短焦点側で被写体を撮影するためのワイドモード位置であり、上記第２のレンズ位置は長焦点側で被写体を撮影するためのテレモード位置であることを特徴とする。
【００４６】
このように構成することにより、ワイドモードとテレモードの撮影時に、切り換え時のクリック感によってユーザは確実に切り換わったことを認識することができる。
【００４７】
請求項１９に記載の発明は、請求項１５に記載のカメラのレンズ位置調節機構に於いて、上記伝達機構は、操作者が上記電気スイッチユニットの上記可動部を操作するための操作部を具備することを特徴とする。
【００４８】
このように構成することにより、マクロ切り換え機構を単純化して、高精度の部品が要求されなくとも正確な位置出しをすることができる。
【００４９】
請求項２０に記載の発明は、撮影レンズを内蔵する鏡胴の一部を光軸に対して周方向に回動させることにより、上記撮影レンズ位置を移動させるカメラのレンズ位置調節機構に於いて、上記鏡胴の外周面の一部に固定された第１の部材と、その揺動軸を中心に揺動可能に支持されるもので、その一端が上記第１の部材と係合する第２の部材と、上記第２の部材の上記揺動軸の他端に係合されるもので、操作者が操作可能な第３の部材と、その電気的な導通を制御する可動部を有して、該可動部と上記第３の部材とが係合する電気スイッチユニットと、を具備することを特徴とする。
【００５０】
このように構成することにより、マクロ切り換え機構を単純化すると共に、ユーザに切り換え時のクリック感を持たせて、高精度の部品が要求されなくとも正確な位置出しが可能なカメラのレンズ位置調節機構を提供することができる。
【００５１】
請求項２１に記載の発明は、請求項２０に記載のカメラのレンズ位置調節機構に於いて、操作者が上記第３の部材を操作して、上記第２の部材及び上記第１の部材を介して上記鏡胴の一部を所定の方向に回動させる際、上記鏡胴の一部がそれ以上上記所定方向に回動できなくなった場合には、上記第２の部材が撓むように構成されることを特徴とする。
【００５２】
このように構成することにより、高精度の部品が要求されなくとも正確な位置出しをすることができる。
【００５３】
請求項２２に記載の発明は、請求項２１に記載のカメラのレンズ位置調節機構に於いて、上記可動部は、物理的に安定する第１の安定位置と第２の安定位置とを有し、上記鏡胴の一部は、第１の回転方向に対しそれ以上回転できない第１の回転位置と、上記第１の回転方向とは逆方向の第２の回転方向に対しそれ以上回転できない第２の回転位置とを有し、上記可動部が第１の安定位置にある場合には、上記鏡胴の一部が上記第１の回転位置にあると共に、上記第１の部材を介して上記第２の部材によって上記第１の回転方向に付勢されるように構成され、上記可動部が第２の安定位置にある場合には、上記鏡胴の一部が上記第２の回転位置にあると共に、上記第１の部材を介して上記第２の部材によって上記第２の回転方向に付勢されるように構成されることを特徴とする。
【００５４】
このように構成することにより、ユーザに切り換え時のクリック感を持たせて、高精度の部品が要求されなくとも正確な位置出しをすることができる。
【００５５】
請求項２３に記載の発明は、請求項２２に記載のカメラのレンズ位置調節機構に於いて、上記鏡胴の一部が上記第１の回転位置に於いて上記第１の回転方向に付勢された際に生じる反力、または上記鏡胴の一部が上記第２の回転位置に於いて上記第２の回転方向に付勢された際に生じる反力は、上記可動部が上記第１の安定位置若しくは上記第２の安定位置に安定しようとする応力よりも小さくなるように構成されることを特徴とする。
【００５６】
このように構成することにより、ユーザに切り換え時のクリック感を持たせて、高精度の部品が要求されなくとも正確な位置出しをすることができる。
【００５７】
請求項２４に記載の発明は、請求項２０に記載のカメラのレンズ位置調節機構に於いて、上記電気スイッチユニットは、電子回路基板上に固定されていることを特徴とする。
【００５８】
このように構成することにより、高精度の部品が要求されなくとも正確な位置出しをすることができる。
【００５９】
請求項２５に記載の発明は、請求項２０に記載のカメラのレンズ位置調節機構に於いて、操作者が上記第３の部材を操作して、上記第２の部材及び上記第１の部材を介して上記鏡胴の一部を所定の方向に回動させる際、上記鏡胴の一部がそれ以上上記所定方向に回動できなくなった場合には、上記第２の部材の上記揺動軸が嵌入される孔との隙間分だけ上記第２の部材が傾くように構成されていることを特徴とする。
【００６０】
このように構成することにより、第２の部材に上記第１の部材からの反力が働いたときに、第２の部材が傾くようにして上記反力を逃すことができ、電気スイッチユニットのクリック力量を上回らない力でカメラのレンズ位置調節機構を保持することができる。
【００６１】
【発明の実施の形態】
以下、図面を参照して本発明の実施の形態を説明する。
【００６２】
図１は、本発明の一実施の形態を示すもので、レンズ位置調節機構の概略構成を示した断面図である。また、図２は図１のレンズ位置調節機構を下側から見た概略構成図、図３（ａ）は図２のレンズ位置調節機構の右側から見たもので一部を切り欠いて示した図、図３（ｂ）は図３（ａ）の一部を拡大して示した図、図４は図３（ａ）のレンズ位置調節機構を右側から見た概略構成図である。
【００６３】
本実施の形態のレンズ位置調節機構に於いて、光学ユニット１が電子回路基板２に装着されている。この光学ユニット１は、外装３に装着された対物レンズ４を介して入射される図示されない被写体からの撮影光束を、図示されない撮像部に導くための反射ミラー５を内蔵している。更に、光学ユニット１は、対物レンズ４の近傍に撮影レンズ（図示せず）を内蔵する鏡胴としての合焦距離調整部７を有して成る。この合焦距離調整部７は、光軸方向と直交する方向（図３（ａ）に於いて図示矢印Ｃ方向）に回動可能に設けられている。更に、合焦距離調整部７の円周面部、すなわち鏡胴の一部には、詳細を後述するように、伝達機構としてのレバー１２と係合するための突起８が設けられている。
【００６４】
一方、上記電子回路基板２上には、マクロ検出用スイッチとしての電気スイッチユニット１０を構成する端子部１０ａが装着されている。そして、この端子部１０ａの図示されない切り換え端子には、該切り換え端子に連動して、図２に於いて図示矢印Ａ方向に移動可能な切り換えレバー（可動部）１０ｂが取り付けられている。また、この切り換えレバー１０ｂは、電子回路基板２上で、電気スイッチユニット１０の操作ノブ１０ｃに設けられた脚部１０ｄと係合した状態で、図２に於いて図示矢印Ａ方向に移動可能となっている。上記電気スイッチユニット１０の操作ノブ１０ｃには、更にレバー１２に形成された長孔１２ａと係合する軸部１０ｅが設けられている。
【００６５】
上記レバー１２には、また、上記外装３の内側に設けられた軸部１３が嵌入される孔１２ｂが形成されている。上記レバー１２は、上記軸部１３と係合する孔１２ｂを中心にして、図２に於いて図示矢印Ｂ方向に揺動自在に支持されている。そして、孔１２ｂを中心に、長孔１２ａが形成されているのと反対側には、２段階で略Ｕ字形状に形成された腕部１２ｃが設けられている。
【００６６】
この腕部１２ｃは、上述した合焦距離調整部７に設けられた突起８を支持するためのものである。すなわち、レバー１２が図２に於いて図示矢印Ｂ方向に揺動されることにより、その腕部１２ｃに当接された突起８が該腕部１２ｃと共に移動される。これにより、突起８が設けられた合焦距離調整部７が、図３に於いて図示矢印Ｃ方向に回動されながら、図２に於いて図示矢印Ｄ方向に移動される。る。
【００６７】
尚、図２に於いて、合焦距離調整部７の移動範囲は、実際には、例えば０．５ｍｍ程度の微小量であるので、ここでは図示しないものとする。
【００６８】
このような構成に於いて、例えば、マクロ位置にセットされているレンズ位置調節機構を無限遠位置に切り換えようとした場合について説明する。
【００６９】
いま、切り換え操作部１０ｃ、レバー１２等は、図２に於いて２点鎖線で示される位置（第１の安定位置）にある。そして、ユーザの操作により、電気スイッチユニット１０の操作ノブ１０ｃが操作されて、図３に於いて図示矢印Ａ１  方向に移動されたとする。これにより、操作ノブ１０ｃの下部に設けられた脚部１０ｄも上記矢印Ａ１  方向に移動される。
【００７０】
そして、この脚部１０ｄが移動されることにより、この脚部１０ｄと係合している切り換えレバー１０ｂも上記矢印Ａ１  方向に移動される。これにより、端子部１０ａ内の図示されない切り換え端子が切り換えられ、端子の切り換えによるクリック感が得られると、マクロ検出用スイッチが切り換えが完了したことになる。
【００７１】
ところで、上記操作ノブ１０ｃの移動に伴って、軸部１０ｅも図３（ａ）の矢印Ａ１  方向に移動され、更にはこの軸部１０ｅと係合している長孔１２ａと共にレバー１２も、図２に於いて上方向に移動される。但し、このレバー１２は、軸部１３と係合する孔１２ｂを中心として図２の矢印Ｂ方向に揺動するため、孔１２ｂを中心に長孔１２ａと反対側に設けられた腕部１２ｃは、図２に於いて下方向に移動される。つまり、図３（ａ）に示されるように、操作ノブ１０ｃが図示矢印Ａ１  方向に移動されると、孔１２ｂを中心に揺動するレバー１２の腕部１２ｃは、図示矢印Ｂ１  方向に移動される。
【００７２】
そして、上記レバー１２の腕部１２ｃと当接している突起８は、上記腕部１２ｃの移動と共に移動される。すなわち、レバー１２の腕部１２ｃが上記矢印Ｂ１  方向に移動されるに伴って、突起８は図示矢印Ｃ１  方向に回転される。この状態では、突起８は常にレバー１２の腕部１２ｃに付勢された状態である。
【００７３】
ここで、合焦距離調整部７が図２に於いて図示矢印Ｄ方向に移動されて無限遠の位置、すなわち突起８が腕部１２ｃに当て付けられた位置に達すると、突起８は、それ以上Ｃ１  方向に回転することができなくなる。したがって、レバー１２に反力が生じる。
【００７４】
レバー１２から突起８にかかる応力は、この突起８によって合焦距離調節部７が安定位置にあるようにしなければならないため、上記反力よりも等しいか若しくは大きくなければならない。つまり、図３（ｂ）に示されるように、レバー１２から突起８にかかる応力Ｆに対して、突起８からレバー１２に対して生じる反力Ｒ１  の方が小さくなるようにする。このように、反力を鉛直方向（図示矢印Ｒ２  方向）に逃すことによって、常に当て付けが保持された状態となる。この状態が、図２に於いて実線で示される位置、すなわち第２の安定位置となる。
【００７５】
このように、合焦距離調節部７をマクロ検出位置から無限遠位置に切り換える場合、操作ノブ１０ｃが操作されると切り換えレバー１０ｂが移動されて、端子部１０ａ内の図示されない切り換え端子の切り換えによるクリック感が得られる。それと同時に、レバー１２の腕部１２ｃの付勢力によって突起８が所定方向に回転されて、合焦距離調節部７が当て付け位置に達すると、レバー１２に反力が生じる。この反力を鉛直方向に逃すことによって、上記切り換え端子のクリック量を上回らない力で、合焦距離調節部７を保持することができる。このとき、上記合焦距離調節部７は、レバー１２に対して平行よりも傾いた角度を有している。
【００７６】
また、レバー１２の反力を逃す別の実施の形態として、図１に於ける軸部１３とレバー１２の孔１２ｂとの隙間（嵌入ガタ、或いはそれ以上の隙間）を利用するように構成してもよい。このような構成を採ることで、腕部１２ｃに突起８からの反力が働いたときに、レバー１２が外装３の方向に傾くようにして上記反力を逃すことができ、電気スイッチユニット１０のクリック力量を上回らない力で合焦距離調節部７を保持することができる。
【００７７】
こうして、電気スイッチユニット１０のクリック感を利用することによって、ユーザは、回転式のレンズの位置が切り換わったことを確実に認識することができる。
【００７８】
尚、上述したレバー１２は弾性体で構成される。
【００７９】
また、上述した実施の形態では、レンズ位置調節機構を、マクロ検出位置と無限遠位置の切り換えとして説明したが、これに限られるものではなく、短焦点位置と長焦点位置等、２つの異なる焦点位置の切り換えに用いられるものであれば、何れにも適用可能であるのは勿論である。
【００８０】
更に、本発明は、上述した実施の形態以外にも、本発明の要旨を逸脱しない範囲で種々の変形実施が可能である。
【００８１】
【発明の効果】
以上のように本発明によれば、マクロ切り換え機構を単純化すると共に、ユーザに切り換え時のクリック感を持たせることが可能なレンズ位置調節機構及びカメラのレンズ位置調節機構を提供することができる。
【図面の簡単な説明】
【図１】本発明の一実施の形態を示すもので、レンズ位置調節機構の概略構成を示した断面図である。
【図２】図１のレンズ位置調節機構を下側から見た概略構成図である。
【図３】（ａ）は図２のレンズ位置調節機構の右側から見たもので一部を切り欠いて示した図、（ｂ）は（ａ）の一部を拡大して示した図である。
【図４】図３（ａ）のレンズ位置調節機構を右側から見た概略構成図である。
【符号の説明】
１…光学ユニット、２…電子回路基板、３…外装、４…対物レンズ、７…合焦距離調整部、８…突起、１０…電気スイッチユニット、１０ａ…端子部、１０ｂ…レバー、１０ｃ…操作ノブ、１０ｄ…脚部、１０ｅ…軸部、１２…レバー、１２ａ…長孔、１２ｂ…孔、１２ｃ…腕部、１３…軸部。
【図１】
2004341333.tif 000003
【図２】
2004341333.tif 000004
【図３】
2004341333.tif 000005
【図４】
2004341333.tif 000006